【手続補正書】
【提出日】平成17年12月1日(2005.12.1)
【手続補正１】
【補正対象書類名】明細書
【補正対象項目名】発明の名称
【補正方法】変更
【補正の内容】
【発明の名称】文書画像データ管理システム、文書画像データ管理プログラム、文書画像データ管理装置及び文書画像データ管理装置の制御方法
【手続補正２】
【補正対象書類名】明細書
【補正対象項目名】特許請求の範囲
【補正方法】変更
【補正の内容】
【特許請求の範囲】
【請求項１】  紙文書に基づいて生成された文書画像データを処理するための処理部と、前記処理部における処理データを格納するための格納部とを備える文書画像データ管理システムであって、
少なくとも１以上のページデータで構成される前記文書画像データから、前記ページデータに含まれるオブジェクトデータを抽出するオブジェクトデータ抽出手段と、
前記抽出されたオブジェクトデータを、前記ページデータと関連づけて管理するためのオブジェクト情報を生成するオブジェクト情報生成手段と、
前記オブジェクトデータと関連づけられた前記ページデータに関する情報を管理するためのページ情報を生成するページ情報生成手段と、
前記オブジェクト情報と前記ページ情報とに基づいて前記文書画像データを管理する画像データ管理手段とを備えることを特徴とする文書画像データ管理システム。
【請求項２】  前記抽出手段は、前記オブジェクトデータを、前記文書画像データのレイアウトに対応し前記オブジェクトデータの抽出領域を決定するためのテンプレートを利用して抽出することを特徴とする請求項１に記載の文書画像データ管理システム。
【請求項３】  前記テンプレートは、前記抽出すべきオブジェクトデータについてのカラー情報が設定され、前記カラー情報の設定が白黒である場合に、前記抽出されたオブジェクトデータに対する減色処理が行われることを特徴とする請求項１に記載の文書画像データ管理システム。
【請求項４】  前記オブジェクト情報と前記ページ情報とを、前記文書画像データ以外の画像データに基づいて生成されたオブジェクト情報とページ情報とから識別するための識別情報を生成する識別情報生成手段を更に備え、
前記画像データ管理手段は、前記文書画像データを前記識別情報を利用して更に管理することを特徴とする請求項１乃至請求項３のいずれか１項に記載の文書画像データ管理システム。
【請求項５】  前記ページ情報にはページサイズに関する情報が含まれ、前記ページサイズに基づいてページ画像を生成するページ画像生成手段と、
前記ページ画像に対して、前記オブジェクト情報に含まれるオブジェクトデータを配置することにより、前記文書画像データを再構成する文書画像データ再構成手段と
を更に備えることを特徴とする請求項１乃至請求項４のいずれか１項に記載の文書画像データ管理システム。
【請求項６】  前記文書画像データが複数のページデータで構成され、前記ページ情報には、ページ番号を含む前記複数のページデータを相互に関係づけるための情報が更に含まれる場合に、
第１のページ番号を有する第１のページ情報に基づいて再構成された第１の文書画像データにおいて、前記オブジェクトデータが配置されない第１の領域を検知する第１の検知手段と、
第２のページ番号を有する第２のページ情報に基づいて再構成された第２の文書画像データにおいて、前記オブジェクトデータが配置される第２の領域を検知する第２の検知手段と、
前記第２の領域が、前記第１の領域に含まれる場合に、前記第２の文書画像データの前記第２の領域に対応するデータを、前記第１の領域に配置することにより、前記第１及び第２の文書画像データを結合する結合手段と
を更に備えることを特徴とする請求項５に記載の文書画像データ管理システム。
【請求項７】  前記文書画像データ管理システムは、前記画像データを表示するための表示部を更に備え、
前記複数のページ情報に対応する少なくとも前記再構成された文書画像データと前記結合された文書画像データのいずれかを表示することを特徴とする請求項５又は請求項６に記載の文書画像データ管理システム。
【請求項８】  前記文書画像データ管理システムは、前記画像データを印刷するための印刷部と接続され、
前記複数のページ情報に対応する少なくとも前記再構成された文書画像データと前記結合された文書画像データのいずれかを前記印刷部において印刷するための印刷データを生成する印刷データ生成手段を更に備え、前記印刷データが前記印刷部に送信されることを特徴とする請求項５乃至請求項７のいずれか１項に記載の文書画像データ管理システム。
【請求項９】  紙文書に基づいて生成された文書画像データを処理するための処理部と、前記処理部における処理データを格納するための格納部とを備える文書画像データ管理システムの制御方法であって、
少なくとも１以上のページデータで構成される前記文書画像データから、前記ページデータに含まれるオブジェクトデータを抽出する工程と、
前記抽出されたオブジェクトデータを、前記ページデータと関連づけて管理するためのオブジェクト情報を生成する工程と、
前記オブジェクトデータと関連づけられた前記ページデータに関する情報を管理するためのページ情報を生成する工程と、
前記オブジェクト情報と前記ページ情報とに基づいて前記文書画像データを管理する工程と
を備えることを特徴とする制御方法を、コンピュータに実行させるためのプログラム。
【請求項１０】紙文書に基づいて生成された文書画像データを格納するための文書画像データ格納手段と、
少なくとも１以上のページデータで構成される前記文書画像データから、前記ページデータに含まれるオブジェクトデータを抽出するオブジェクトデータ抽出手段と、
前記抽出されたオブジェクトデータを、前記ページデータと関連づけて管理するためのオブジェクト情報を生成するオブジェクト情報生成手段と、
前記オブジェクトデータと関連づけられた前記ページデータに関する情報を管理するためのページ情報を生成するページ情報生成手段と、
前記オブジェクト情報と前記ページ情報とに基づいて前記文書画像データを管理する画像データ管理手段と
を備えることを特徴とする文書画像データ管理装置。
【請求項１１】  紙文書に基づいて生成された文書画像データを処理するための処理部と、前記処理部における処理データを格納するための格納部とを備える文書画像データ管理装置を制御する文書画像データ管理装置の制御方法であって、
少なくとも１以上のページデータで構成される前記文書画像データから、前記ページデータに含まれるオブジェクトデータを抽出する工程と、
前記抽出されたオブジェクトデータを、前記ページデータと関連づけて管理するためのオブジェクト情報を生成する工程と、
前記オブジェクトデータと関連づけられた前記ページデータに関する情報を管理するためのページ情報を生成する工程と、
前記オブジェクト情報と前記ページ情報とに基づいて前記文書画像データを管理する工程と
を備えることを特徴とする文書画像データ管理装置の制御方法。
【手続補正３】
【補正対象書類名】明細書
【補正対象項目名】０００９
【補正方法】変更
【補正の内容】
【０００９】
上記課題を解決するための本発明は、紙文書に基づいて生成された文書画像データを処理するための処理部と、前記処理部における処理データを格納するための格納部とを備える文書画像データ管理システムであって、少なくとも１以上のページデータで構成される前記文書画像データから、前記ページデータに含まれるオブジェクトデータを抽出するオブジェクトデータ抽出手段と、前記抽出されたオブジェクトデータを、前記ページデータと関連づけて管理するためのオブジェクト情報を生成するオブジェクト情報生成手段と、前記オブジェクトデータと関連づけられた前記ページデータに関する情報を管理するためのページ情報を生成するページ情報生成手段と、前記オブジェクト情報と前記ページ情報とに基づいて前記文書画像データを管理する画像データ管理手段とを備えることを特徴とする。
【手続補正４】
【補正対象書類名】明細書
【補正対象項目名】００１０
【補正方法】変更
【補正の内容】
【００１０】
また、上記本発明において、ページ情報に含まれるページサイズに基づいてページ画像を生成するページ画像生成手段と、前記ページ画像に対して、前記オブジェクト情報に含まれるオブジェクトデータを配置することにより、前記文書画像データを再構成する文書画像データ再構成手段とを更に備えることを特徴とする。